(57)【要約】【課題】投票用紙分類装置の光学系等の状態を確認し、清掃、調整等の要否の判断を支援することのできる投票用紙分類装置の状態確認方法および装置を提供する。【解決手段】投票用紙分類装置で複数枚の試験用紙を読み取らせ、その読み取りの結果から得られた画像を画像入力部１１が取得し、画像処理部１２で二値画像を得て画素値加算メモリ１６に順次蓄積する。そして、表示処理部１７が、画素値加算メモリ１６に保持されている加算された画素値を視覚化して表示する。【選択図】　　　　図１
2004005022.tif 000002
【特許請求の範囲】
【請求項１】
投票用紙に記入された文字を読み取り、該読み取り結果に基づいて前記投票用紙を分類する投票用紙分類装置の状態を確認する状態確認方法であって、
試験用紙を複数枚読み取り、該読み取りにより得られたそれぞれの画像の各画素値を蓄積し、該蓄積した画素値を前記投票用紙分類装置の状態として表示することを特徴とする投票用紙分類装置の状態確認方法。
【請求項２】
前記画像を二値画像に変換し、該変換した二値画像の各画素値を蓄積することを特徴とする請求項１記載の投票用紙分類装置の状態確認方法。
【請求項３】
前記画像の所定の領域内の各画素値を蓄積することを特徴とする請求項１記載の投票用紙分類装置の状態確認方法。
【請求項４】
前記試験用紙は、白紙であり、前記画素値により前記投票用紙分類装置の読み取り系の状態を表示することを特徴とする請求項１記載の投票用紙分類装置の状態確認方法。
【請求項５】
前記試験用紙は、投票用紙であり、前記画素値により前記投票用紙の記入枠のドロップアウトの状態を表示することを特徴とする請求項１記載の投票用紙分類装置の状態確認方法。
【請求項６】
投票用紙に記入された文字を読み取り、該読み取り結果に基づいて前記投票用紙を分類する投票用紙分類装置の状態を確認する状態確認装置において、
前記投票用紙分類装置が試験用紙を読み取って生成した画像を取得する画像取得手段と、
前記画像取得手段が取得した複数の画像から該画像を構成する各画素の画素値を取得する画素値取得手段と、
前記画素値取得手段が取得した画素値を蓄積する画素値蓄積手段と、
前記画素値蓄積手段に蓄積されている画素値を前記投票用紙分類装置の状態として表示する状態表示手段と
を具備することを特徴とする投票用紙分類装置の状態確認装置。
【請求項７】
前記画像取得手段が取得した画像を二値画像に変換する画像変換手段をさらに具備し、
前記画素値取得手段は、
前記画像変換手段が変換した二値画像から画素値を取得する
ことを特徴とする請求項６記載の投票用紙分類装置の状態確認装置。
【請求項８】
前記画素値取得手段は、
前記画像取得手段が取得した画像の所定の領域内から画素値を取得することを特徴とする請求項６記載の投票用紙分類装置の状態確認装置。
【請求項９】
前記試験用紙は、
白紙であり、
前記状態表示手段は、
前記画素値蓄積手段に蓄積されている画素値を前記投票用紙分類装置の読み取り系の状態として表示する
ことを特徴とする請求項６記載の投票用紙分類装置の状態確認装置。
【請求項１０】
前記試験用紙は、
投票用紙であり、
前記状態表示手段は、
前記画素値蓄積手段に蓄積されている画素値を前記投票用紙の記入枠のドロップアウトの状態として表示する
ことを特徴とする請求項６記載の投票用紙分類装置の状態確認装置。
【発明の詳細な説明】
【０００１】
【発明の属する技術分野】
この発明は、投票用紙分類装置の状態確認方法および装置に関し、特に、投票用紙分類装置による投票用紙の読み取りの状態を確認する投票用紙分類装置の状態確認方法および装置に関する。
【０００２】
【従来の技術】
記名式選挙における開票作業では、投票用紙を１枚１枚読み取って候補者毎或いは政党毎に分類し、分類された投票用紙をそれぞれ計数することが行われる。これらの作業を人手のみで行う場合には、多くの集計人を要することになり、開票作業に要する時間も長くなることが多い。
【０００３】
このため、近年では、投票用紙を読み取って自動で分類を行う装置が利用されるようになっている。このような装置としては、例えば、特開平９−２２３２１６号公報や特開２０００−２９３７２５号公報に記載されたものがある。
【０００４】
ここで、投票用紙分類装置の概略について説明する。図１２は、投票用紙分類装置の外観例を示した図である。
【０００５】
同図に示すように、投票用紙分類装置５２０は、その外側に操作部５２１と表示部５２３、繰出部５２４、スタッカ５２７が配されている。この構成においては、投票用紙を繰出部５２４に載置して操作部５２１から分類開始の指示を与えることで、当該投票用紙は、順次読み取られて識別され、その識別結果に基づいて、スタッカ５２７のいずれかに分類排紙される。そして、分類毎の投票用紙の枚数等が表示部５２３に表示されることになる。
【０００６】
図１３は、投票用紙分類装置５２０の断面の概略を示した図である。同図に示すように、投票用紙分類装置５２０は、認識・制御部５２２と繰出部５２４、読取部５２５、分類部５２６、スタッカ５２７−１〜スタッカ５２７−４を具備して構成される。また、読取部５２５には、撮像部５５０が配されている。繰出部５２４に載置された投票用紙は、読取部５５０を矢印Ａの方向に搬送される。このとき、撮像部５５０が、投票用紙表面の画像を取得する。そして、撮像部５５０が取得した画像に基づいて認識・制御部５２２が当該投票用紙の記入内容を認識し、その認識結果に基づいて、分類部５２６がスタッカ５２７−１〜スタッカ５２７−４のいずれかに当該投票用紙を排紙する。
【０００７】
ここで、撮像部５５０について説明する。図１４は、撮像部５５０の構成例を示した図である。同図に示すように、撮像部５５０は、ガラス等の透明部材で形成された透明板５５１と、ＬＥＤ等の光源５５２−１、光源５５２−２、ＣＣＤ等の撮像素子５５３を具備して構成される。この構成では、投票用紙が矢印Ｂの方向に搬送され、投票用紙が透明板５５１の直下まで搬送された際に、光源５５２−１および光源５５２−２から透明板５５１を介して投票用紙に光が照射され、この光の投票用紙での反射光を撮像素子５５３が受光して、投票用紙表面の画像を取得することとなる。
【０００８】
【発明が解決しようとする課題】
上述したように、投票用紙分類装置で利用される撮像部は、投票用紙での反射光に基づいて投票用紙の画像を取得している。このため、撮像部の内部に埃が堆積したり、透明板に汚れが付着する等に起因して、光路に障害が発生した場合には、取得した投票用紙の画像にノイズが混入することになる。このような場合には、撮像部を清掃する等の調整を行う必要がある。
【０００９】
一方、投票用紙の画像に生じるノイズには、投票用紙自体に起因するものもある。このような場合には、当然のことながら、撮像部の調整では、ノイズを除去することができず、撮像部の調整作業が無駄となってしまう。
【００１０】
したがって、撮像部の調整を行う際には、その調整の要否を確認する必要があり、特に、撮像部の調整に多大な手間を要する場合には、調整の要否確認は、より重要となる。
【００１１】
そこで、この発明は、投票用紙分類装置の光学系等の状態を確認し、その結果を表示することによって、調整の要否の判断を支援することのできる投票用紙分類装置の状態確認方法および装置を提供することを目的とする。
【００１２】
【課題を解決するための手段】
上述した目的を達成するため、請求項１の発明は、投票用紙に記入された文字を読み取り、該読み取り結果に基づいて前記投票用紙を分類する投票用紙分類装置の状態を確認する状態確認方法であって、試験用紙を複数枚読み取り、該読み取りにより得られたそれぞれの画像の各画素値を蓄積し、該蓄積した画素値を前記投票用紙分類装置の状態として表示することを特徴とする。
【００１３】
また、請求項２の発明は、請求項１の発明において、前記画像を二値画像に変換し、該変換した二値画像の各画素値を蓄積することを特徴とする。
【００１４】
また、請求項３の発明は、請求項１の発明において、前記画像の所定の領域内の各画素値を蓄積することを特徴とする。
【００１５】
また、請求項４の発明は、請求項１の発明において、前記試験用紙は、白紙であり、前記画素値により前記投票用紙分類装置の読み取り系の状態を表示することを特徴とする。
【００１６】
また、請求項５の発明は、請求項１の発明において、前記試験用紙は、投票用紙であり、前記画素値により前記投票用紙の記入枠のドロップアウトの状態を表示することを特徴とする。
【００１７】
また、請求項６の発明は、投票用紙に記入された文字を読み取り、該読み取り結果に基づいて前記投票用紙を分類する投票用紙分類装置の状態を確認する状態確認装置において、前記投票用紙分類装置が試験用紙を読み取って生成した画像を取得する画像取得手段と、前記画像取得手段が取得した複数の画像から該画像を構成する各画素の画素値を取得する画素値取得手段と、前記画素値取得手段が取得した画素値を蓄積する画素値蓄積手段と、前記画素値蓄積手段に蓄積されている画素値を前記投票用紙分類装置の状態として表示する状態表示手段とを具備することを特徴とする。
【００１８】
また、請求項７の発明は、請求項６の発明において、前記画像取得手段が取得した画像を二値画像に変換する画像変換手段をさらに具備し、前記画素値取得手段は、前記画像変換手段が変換した二値画像から画素値を取得することを特徴とする。
【００１９】
また、請求項８の発明は、請求項６の発明において、前記画素値取得手段は、前記画像取得手段が取得した画像の所定の領域内から画素値を取得することを特徴とする。
【００２０】
また、請求項９の発明は、請求項６の発明において、前記試験用紙は、白紙であり、前記状態表示手段は、前記画素値蓄積手段に蓄積されている画素値を前記投票用紙分類装置の読み取り系の状態として表示することを特徴とする。
【００２１】
また、請求項１０の発明は、請求項６の発明において、前記試験用紙は、投票用紙であり、前記状態表示手段は、前記画素値蓄積手段に蓄積されている画素値を前記投票用紙の記入枠のドロップアウトの状態として表示することを特徴とする。
【００２２】
【発明の実施の形態】
以下、この発明に係る投票用紙分類装置の状態確認方法および装置の一実施の形態について、添付図面を参照して詳細に説明する。
【００２３】
図１は、この発明に係る状態確認装置の機能的な構成を示すブロック図である。同図に示すように、状態確認装置１０は、画像入力部１１と画像処理部１２、黒画素検出部１３、分類制御部１４、画素値加算部１５、画素値加算メモリ１６、表示処理部１７を具備して構成される。
【００２４】
この状態確認装置１０は、図２に示すように、投票用紙分類装置２０に接続され、投票用紙分類装置２０の状態確認を行う。なお、投票用紙分類装置２０は、操作部２１と認識・制御部２２、表示部２３、繰出部２４、読取部２５、分類部２６、スタッカ２７を具備しており、通常、繰出部２４に投票用紙を載置した後に、操作部２１から分類指示を与えることで、投票用紙が読取部２５で読み取られ、その画像が認識・制御部２２で認識され、認識結果に基づいて分類部２６が投票用紙を指定されたスタッカ２７に排紙するよう動作する。
【００２５】
状態確認装置１０が投票用紙分類装置２０の状態を確認する際には、投票用紙分類装置２０の繰出部２４に試験用紙を載置して分類処理を行わせ、状態確認装置１０がその状態を確認する。試験用紙としては、例えば、裏面が白紙の投票用紙の表裏を逆にして利用するか、同サイズの白紙を利用する。
【００２６】
画像入力部１１は、投票用紙分類装置２０から画像を取得する。取得する画像は、投票用紙分類装置２０の繰出部２４に載置した試験用紙を順次読取部２５で読み取ったものである。
【００２７】
画像処理部１２は、画像入力部１１が取得した画像に対して画像処理を施す。画像処理部１２が施す画像処理としては、領域の切り出し処理や二値化処理である。
【００２８】
黒画素検出部１３は、画像処理部１２で例えば黒画画素と白画素といったように二値化処理を施した画像から黒画素の塊を検出する。
【００２９】
分類制御部１４は、黒画素検出部１３が検出した黒画素の塊が一定以上の大きさや黒画素の割合が一定以上ある場合等、予め設定した条件に合致する画像に対応する試験用紙を指定したスタッカ２７に排紙するために分類部２６を制御する。
【００３０】
画素値加算部１５は、黒画素検出部１３が検出した黒画素を値（例えば１）として画素値加算メモリ１６に加算する。
【００３１】
画素値加算メモリ１６は、対象エリアと同じ大きさのメモリ領域を有し、画像処理部１２で二値化された画像の各画素値を画素値加算部１５により対応する位置に加算された画素値として保持する。
【００３２】
表示処理部１７は、画素値加算メモリ１６に保持されている画素値に基づいて、検出された黒画素の位置を視覚化して表示するための処理を行う。
【００３３】
なお、状態確認装置１０は、専用の装置として構成しても良く、ＰＣ等のコンピュータ装置を利用し、これをプログラムにより動作させて構成するようにしてもよい。
【００３４】
次に、状態確認装置１０の操作および処理動作について説明する。図３は、状態確認装置１０を利用した状態確認操作の流れを示すフローチャートである。
【００３５】
まず、操作者は、投票用紙分類装置２０に状態確認装置１０を接続した状態で、状態確認を行うための指示を行う（ステップ１００）。この指示は、投票用紙分類装置２０の操作部２１若しくは状態確認装置１０の図示しない指示ボタンの押下により行う。
【００３６】
続いて、操作者は、繰出部２４に試験用紙を載置し（ステップ１０１）、状態確認の開始指示を行う（ステップ１０２）。開始指示は、投票用紙分類装置２０の操作部２１を操作することで行う。
【００３７】
操作者により開始指示が発せられると、状態確認装置１０は、状態確認処理を開始する（ステップ１０３）。この状態確認処理については、後述する。
【００３８】
状態確認装置１０が状態確認処理を終了すると、その結果が表示される。操作者は、その結果を確認し（ステップ１０４）、その結果が「ＯＫ」であれば（ステップ１０５でＹＥＳ）、状態確認を終了する。
【００３９】
一方、状態確認装置１０による状態確認処理の結果が「ＮＧ」であった場合には（ステップ１０５でＮＯ）、操作者は、図５に示されるような、表示された指示に基づく対策を行い（ステップ１０６）、再度、試験用紙を繰出部２４に載置して、状態確認処理を繰り返す。なお、ステップ１０６で施す対策については後述する。
【００４０】
ここで、ステップ１０３で実行する状態確認装置１０の状態確認処理について説明する。図４は、状態確認装置１０の動作の流れを示すフローチャートである。
【００４１】
状態確認装置１０は、状態確認処理を開始すると、ます、画素値加算メモリ１６を含む各部を初期化する（ステップ１３０）。
【００４２】
次に、画像入力部１１が投票用紙分類装置２０から画像を取得する（ステップ１３１）。取得する画像は、投票用紙分類装置２０の繰出部２４に載置された試験用紙を読取部２５で読み取ることで得られたものである。
【００４３】
続いて、画像処理部１２が、画像入力部１１が取得した画像から所定の領域を切り出す（ステップ１３２）。切り出しを行う領域は、状態確認をどのように行うかによりことなるが、その領域については、後述する。画像処理部１２は、画像の切り出しを行うと、続いて、当該画像を二値化する（ステップ１３３）。
【００４４】
次に、画像処理部１２により得られた二値画像から、黒画素検出部１３が黒画素を検出する（ステップ１３４）。そして、黒画素検出部１３が検出した黒画素の塊の大きさ（若しくは全画素に占める黒画素の割合）に基づいて、分類制御部１４が試験用紙をリジェクトするか否かを判断し、その結果に基づいて分類部２６を制御する（ステップ１３５）。
【００４５】
また、画素値加算部１５が画素値加算メモリ１６に、画像処理部１２により得られた二値画像を加算（黒画素は１が加算され、白画素は０が加算される）する（ステップ１３６）。
【００４６】
これらステップ１３１からステップ１３６の処理は、繰出部２４に載置された試験用紙が全て読み取られるまで繰り返して行い（ステップ１３７でＹＥＳ）、全ての試験用紙から得られた画像に対して処理を終了すると（ステップ１３７でＮＯ）、表示処理部１７が、画素値加算メモリ１６に保持されている画素値を図示しない表示部若しくは投票用紙分類装置２０の表示部２３に表示するための表示処理を行って、その結果を表示するとともに（ステップ１３８）、対策等のメッセージを表示し（ステップ１３９）、状態確認処理を終了する。
【００４７】
次に、状態確認装置１０による状態確認処理の結果表示と、操作者による対策について説明する。図５は、状態確認処理の結果に基づくメッセージの表示例を示した図であり、図６は、画素値加算メモリ１６に保持されている画素値に基づく結果表示の例を示した図である。
【００４８】
状態確認装置１０は、状態確認処理を終了すると、状態確認処理の結果としてメッセージ表示画面２００と画素値表示画面２１０とを表示する。メッセージ表示画面２００は、状態確認処理の結果として、通過した試験用紙の数、ＮＧと判断してリジェクトした試験用紙の数、通過率等を表示するとともに、対策としてのメッセージを表示するメッセージ表示欄２０１を有している。
【００４９】
メッセージ表示欄２０１に表示されるメッセージは、試験用紙の通過率により異なる。例えば、通過率が１００％であれば、投票用紙分類装置２０の光学系に汚れ等の不具合が存在しないものとし、メッセージとして「ＯＫ」を表示する。通過率が１００％未満９０％以上である場合には、試験用紙に汚れているものが含まれている可能性があるため、メッセージとして「ＮＧ」を表示するとともに、リジェクトされた試験用紙を除いて、再度、状態確認処理を行うことを指示するメッセージを併せて表示する。通過率が９０％未満である場合には、投票用紙分類装置２０の光学系に汚れ等の不具合が存在するものとし、メッセージとして「ＮＧ」を表示するとともに、投票用紙分類装置２０の清掃を指示するメッセージを併せて表示する。
【００５０】
画素値表示画面２１０は、画像処理部１２により得られた二値画像または画素値加算メモリ１６に保持されている画像を表示し、検出された黒画素の位置、つまり、汚れが存在する可能性のある位置を視覚的に表示する。したがって、試験用紙の汚れの確認や投票用紙分類装置２０を清掃する際に、汚れ位置を特定するための参考とすることができる。
【００５１】
ところで、投票用紙分類装置２０では、投票用紙の分類処理を行う際に、必ずしも投票用紙の全域を認識する必要があるわけではなく、文字が記入される枠内のみを認識すればよいことが多い。このため、状態確認装置１０においても、必ずしも試験用紙の全域の状態を確認する必要はなく、枠に相当する位置のみの状態を確認すれば良い場合もある。
【００５２】
したがって、状態確認装置１０では、状態確認を行う領域を指定することができる。この指定は、例えば、メッセージ表示画面２００に配されたボタン２０２若しくはボタン２０３を選択することで行うことができる。ボタン２０２を選択した場合には、試験用紙のほぼ全域に相当する広範囲の状態確認を行い、ボタン２０３を選択した場合には、枠として設定されたいる領域内の状態確認を行うこととなる。状態確認装置１０では、この指定に基づいて、画像処理部１２が切り出す画像の領域を切り替えることとなる。
【００５３】
次に、状態確認装置１０の画像処理部１２が切り出す画像の領域について説明する。状態確認装置１０が広範囲の状態確認を行う場合には、画像処理部１２は、図７に示す試験用紙３００に対し、そのほぼ全域である領域３０１を切り出すこととなる。これに対して、設定枠内のみの状態確認を行う場合には、画像処理部１２は、領域３０２を切り出すこととなる。この領域３０２は、任意に設定可能なものであるが、通常は、投票用紙分類装置２０に設定されている設定枠情報を取得して利用することとなる。
【００５４】
ここで、投票用紙分類装置２０に設定される設定枠（切り出し領域）について説明する。図８は、投票用紙分類装置２０の認識・制御部２２の構成を示すブロック図である。
【００５５】
同図に示すように、認識・制御部２２は、画像入力部３１と画像処理部３２、認識・知識処理部３３、詳細判定処理部３４、切出領域記憶部３５、辞書３６、パラメータ記憶部３７を具備して構成される。なお、この図８に示した認識・制御部２２の構成は、従来のものと同様である。
【００５６】
画像入力部３１は、読取部２５が読み取った画像を取得する。画像処理部３２は、画像入力部３１が取得した画像から所定の領域を切り出すとともに、二値化等の画像処理を行う。画像を切り出す際の切出領域は、予め切出領域記憶部３５に記憶されている。認識・知識処理部３３は、切り出した画像に含まれる文字を辞書３６を用いて認識し、知識処理として各文字を文字列として認識する。詳細判定処理部３４は、認識・知識処理部３３での認識結果に基づいて、投票用紙の分類を行うが、この際に、パラメータ記憶部３７に記憶されているパラメータに基づいて、リジェクト対象となる投票用紙の判定を行う。
【００５７】
状態確認装置１０は、上述した設定枠情報を切出領域記憶部３５から取得し、状態確認に利用する。
【００５８】
さて、これまでは、状態確認装置１０が確認する状態として、投票用紙分類装置２０の光学系の汚れ等を確認する場合を説明してきたが、状態確認装置１０は、投票用紙分類装置２０における他の状態も確認することができる。例えば、投票用紙分類装置２０に設定したドロップアウト枠の状態確認を行うことができる。
【００５９】
ここで、ドロップアウト枠について説明する。投票用紙分類装置２０では、投票用紙を読み取って得た画像から記入された文字の認識を行うが、この認識の際に、投票用紙に印刷されている枠（記入枠）が認識の妨げとなる場合がある。このため、投票用紙分類装置２０では、図９に示す枠設定画面２２０により、投票用紙に印刷された枠の位置を設定している。枠設定画面２２０では、枠位置設定欄２２１で枠の位置を設定し、枠線種別指定欄２２２で枠線の種別を設定するようにしている。
【００６０】
このとき、投票用紙の枠線の種別がドロップアウト枠である場合には、枠位置や枠線種別等の設定を詳細に行う必要がない。ドロップアウト枠とは、読取部２５で利用している光源の色の関係で、読取部２５で読み取ることのできない色で印刷された枠のことである。
【００６１】
しかしながら、投票用紙の枠をドロップアウト色と同類の色で印刷したとしても、インクの微妙な違い等により、完全にドロップアウト枠とならない場合がある。
【００６２】
そこで、投票用紙がドロップアウト色で印刷されているか否かの確認、つまり、投票用紙の記入枠のドロップアウトの確認に、状態確認装置１０を利用することができる。
【００６３】
状態確認装置１０で投票用紙に印刷された記入枠のドロップアウトの確認を行う際には、試験用紙として、無記入の投票用紙（枠は印刷済）を利用する。このときの状態確認装置１０の操作と処理動作は、上述した光学系の汚れを確認する場合と同様である。状態確認装置１０でドロップアウト色の確認を行った際に、投票用紙がドロップアウト色で印刷されていれば、その結果は、上述の汚れが存在しない場合と同様となるが、投票用紙がドロップアウト色以外で印刷されている場合には、枠がそのまま残り、状態確認結果として、図１０に示すような画素値表示画面２３０が表示されることとなり、投票用紙は、リジェクトされることとなる。
【００６４】
ところで、上述の説明では、状態確認装置１０を投票用紙分類装置２０と独立した装置として説明したが、状態確認装置を投票用紙分類装置の一部として構成することもできる。例えば、状態確認装置の各部を投票用紙分類装置の認識・制御部に組み込むことで、これを実現することができる。
【００６５】
図１１は、状態確認装置を投票用紙分類装置の一部として構成する場合の認識・制御部の構成を示すブロック図である。
【００６６】
同図に示すように、認識・制御部５０は、画像入力部５１と画像処理部５２、認識・知識処理部５３、詳細判定処理部５４、切出領域記憶部５５、辞書５６、パラメータ記憶部５７、画素値加算部５８、画素値加算メモリ５９を具備して構成される。
【００６７】
画像入力部５１は、読取部２５が読み取った画像を取得する。画像処理部５２は、画像入力部５１が取得した画像から所定の領域を切り出すとともに、二値化等の画像処理を行う。画像を切り出す際の切出領域は、予め切出領域記憶部５５に記憶されている。認識・知識処理部５３は、分類処理時には、切り出した画像に含まれる文字を辞書５６を用いて認識し、知識処理として各文字を文字列として認識し、状態確認処理時には、画像処理部５２で二値化処理を施した画像から黒画素の塊を検出する。
【００６８】
詳細判定処理部５４は、分類処理時には、認識・知識処理部５３での認識結果およびパラメータ記憶部５７に記憶されているパラメータに基づいて、投票用紙の分類を行って分類部２６を制御し、状態確認処理時には、認識・知識処理部５３が検出した黒画素の塊が一定以上の大きさや黒画素が一定割合以上ある場合等、予め設定した条件に合致する画像に対応する試験用紙を指定したスタッカ２７に排紙するために分類部２６を制御する。
【００６９】
画素値加算部５８は、認識・知識処理部５３が検出した黒画素を値として画素値加算メモリ５９に加算する。画素値加算メモリ５９は、画素値加算部５８により加算された画素値を保持する。画素値加算メモリ５９に保持されている画素値は、状態確認処理終了時に表示部２３により表示される。
【００７０】
なお、状態確認装置を投票用紙分類装置の一部として構成した場合でも、その処理動作は、上述した場合と同様であるため、詳細な説明は省略する。
【００７１】
【発明の効果】
以上説明したように、この発明によれば、投票用紙分類装置で複数枚の試験用紙を読み取らせ、その読み取りの結果から得られた画像の各画素の値を順次蓄積し、蓄積した画素値を視覚化して表示するとともに、所定の条件に適合した試験用紙と適合しない試験用紙とを分類して排紙し、各分類毎に計数を行うように構成したので、投票用紙分類装置の光学系の汚れ等の状態を容易に確認することができ、投票用紙分類装置を適切に調整することが容易となる。
【図面の簡単な説明】
【図１】この発明に係る状態確認装置の機能的な構成を示すブロック図である。
【図２】状態確認装置１０と投票用紙分類装置２０の接続例を示した図である。
【図３】状態確認装置１０を利用した状態確認操作の流れを示すフローチャートである。
【図４】状態確認装置１０の動作の流れを示すフローチャートでである。
【図５】状態確認処理の結果に基づくメッセージの表示例を示した図である。
【図６】画素値加算メモリ１６に保持されている画素値に基づく結果表示の例を示した図である。
【図７】試験用紙３００と切出領域とを示した図である。
【図８】投票用紙分類装置２０の認識・制御部２２の構成を示すブロック図である。
【図９】枠設定画面２２０を示した図である。
【図１０】画素値表示画面２３０を示した図である。
【図１１】状態確認装置を投票用紙分類装置の一部として構成する場合の認識・制御部５０の構成を示すブロック図である。
【図１２】投票用紙分類装置５２０の外観例を示した図である。
【図１３】投票用紙分類装置５２０の断面の概略を示した図である。
【図１４】撮像部５５０の構成例を示した図である。
【符号の説明】
１０　　状態確認装置
１１　　画像入力部
１２　　画像処理部
１３　　黒画素検出部
１４　　分類制御部
１５　　画素値加算部
１６　　画素値加算メモリ
１７　　表示処理部
２０　　投票用紙分類装置
２１　　操作部
２２　　認識・制御部
２３　　表示部
２４　　繰出部
２５　　読取部
２６　　分類部
２７　　スタッカ
３１　　画像入力部
３２　　画像処理部
３３　　認識・知識処理部
３４　　詳細判定処理部
３５　　切出領域記憶部
３６　　辞書
３７　　パラメータ記憶部
５１　　画像入力部
５２　　画像処理部
５３　　認識・知識処理部
５４　　詳細判定処理部
５５　　切出領域記憶部
５６　　辞書
５７　　パラメータ記憶部
５８　　画素値加算部
５９　　画素値加算メモリ
２００　　メッセージ表示画面
２０１　　メッセージ表示欄
２０２　　ボタン
２０３　　ボタン
２１０　　画素値表示画面
２２０　　枠設定画面
２２１　　枠位置設定欄
２２２　　枠線種別指定欄
２３０　　画素値表示画面
３００　　試験用紙
３０１　　領域
３０２　　領域
【図１】
2004005022.tif 000003
【図２】
2004005022.tif 000004
【図３】
2004005022.tif 000005
【図４】
2004005022.tif 000006
【図５】
2004005022.tif 000007
【図６】
2004005022.tif 000008
【図７】
2004005022.tif 000009
【図８】
2004005022.tif 000010
【図９】
2004005022.tif 000011
【図１０】
2004005022.tif 000012
【図１１】
2004005022.tif 000013
【図１２】
2004005022.tif 000014
【図１３】
2004005022.tif 000015
【図１４】
2004005022.tif 000016